(57)【特許請求の範囲】
【請求項１】
一端を封止して有底形状とする外キャップ、一端を封止して有底形状とする内キャップ、及び弾性体とから構成し、
内キャップを外キャップ内に底部を同方向として内挿した上、外キャップの先後方向に移動自在且つ、外キャップの内周面方向に沿って回転自在となるように保持してなるとともに、
弾性体は外キャップ底部内の、外キャップ底部内周と内キャップ底部外周間において、少なくともいずれか一方のキャップに対して回転自在であって、内キャップを外キャップの後端方向へ押勢するよう挟持されてなるものであって、
略中央に薄板状の弾性体保持鍔部を有する棒状の弾性体保持体を介して、外キャップの底部と内キャップ底部とを連絡するとともに、
該弾性体保持体に対して、外キャップと内キャップの少なくともいずれかを外キャップの先後方向に移動自在とし、
弾性体は、前記弾性体保持体に対して外キャップの先後方向に移動自在となるものが外キャップの場合には、該外キャップ底部内周面と弾性体保持鍔部間に、また、それが内キャップの場合には、該内キャップ底部外周面と弾性体保持鍔部間に、それぞれ弾性体保持体に沿って設けられる、
ことを特徴とする筆記具用キャップ。
【請求項２】
弾性体をスプリングとし、
内キャップの底部外周面に、内キャップと一体に形成される弾性体保持基部は、その外周を内キャップ底部外周よりも小径として、該内キャップ底部外周との間に段差部を形成し、また、内部を中空とした上で、その先端に内部と連通する取付孔を配設するとともに、該取付孔に連続し、側面に開口するスリットを配設してなり、
弾性体保持体は金属製であって、保持軸の略中央に設けられる薄板状の前記弾性体保持鍔部の他、保持軸の一端に外キャップ取付部を、他端に薄板状の係止鍔部をそれぞれ形成するものであって、該薄板状の係止鍔部の厚さは弾性体保持基部内部の中空部分を先後方向に移動可能となるよう、該中空部分の厚さに比して十分薄くしてなるものであり、
弾性体保持基部に配置されて、内キャップ底部外周の段差部に当接するスプリング内に、弾性体保持体の係止鍔部を挿通させるとともに、該係止鍔部を弾性体保持基部の側面に開口するスリットを通して取付孔へ係止させることによって、弾性体保持体に対して内キャップを、前記弾性体保持基部内部の中空部分における係止鍔部の移動可能範囲だけ、先後方向に移動可能とするとともに、スプリングを前記内キャップ底部外周の段差部と弾性体保持体の弾性体保持鍔部間に、伸縮自在に挟持した上で、
前記弾性体保持体の外キャップ取付部を外キャップに固定することで、
内キャップを外キャップの先後方向に移動自在且つ、外キャップの内周面方向に沿って回転自在としてなる
ことを特徴とする請求項１記載の筆記具用キャップ。
【請求項３】
上記内キャップの開口部側内周面と、該内キャップの開口部側内周面に当接する筆記軸先端周縁とにおいて、いずれか一方にはテーパー面を、他方には段差周縁を形成する
ことを特徴とする請求項１又は２記載の筆記具用キャップ。
【請求項４】
外キャップと筆記軸のそれぞれに、互いに螺着するネジ部を有するものであり、該螺着
の際の内キャップの回転方向と、スプリングの巻き方向とを反転させてなる
ことを特徴とする請求項２又は３記載の筆記具用キャップ。
【発明の詳細な説明】
【技術分野】
【０００１】
本願発明は、インクを筆記軸内部に貯留する万年筆、水性ボールペン、サインペン等の筆記具用キャップに関するものである。
【背景技術】
【０００２】
インクを筆記軸内部に貯留する万年筆、水性ボールペン、サインペン等の筆記具用キャップにおいて、該インクの筆先からの蒸発・乾燥をより一層防止するために、一端を封止した有底形状の外キャップ内に、筆先部のみを更に密閉する内キャップを用いた二重キャップ方式が採用されてきている。この二重キヤップ方式においては、内キャップと筆先部周縁との密着及び外キヤップと筆記軸との密着という二重の密着部により、筆記軸内部に貯留するインクの蒸発・乾燥を確実に防止しようとするものであるが、両密着部の位置決めを正確に行うことが困難なこと、また、筆先部が内キャップ内に過度に前進してしまい、内キャップ内の空気を圧縮して、該空気がペン先からインク貯留部に流入し易くなることから、内キャップを外キャップの先後方向に移動可能なように、外キャップに対して回転しないように固定されたスプリングにより、一端を封止した有底形状の内キャップを一体に固持した構造となっている。
【０００３】
この構造を有する筆記具用キャップにおいては、筆記具用キャップを筆記軸に装着するために、筆記具用キャップ内に筆記軸が挿嵌されると、筆記軸先端に具えられる筆先部は内キャップ内に収容される。そして、筆記軸先端周縁が内キャップと単に当接するだけでなく、該内キャップと一体に固持されるスプリングの反発力によって、内キャップが筆記軸先端周縁に確実に密着することから、内キャップ内に筆記軸先端周縁によって密閉された内キャップ空間が形成されることとなる。
その結果、筆記軸先端に具えられる筆先部は、内キャップ内の密閉された該内キャップ空間内に保持されることになるので、筆先部及び筆先部を通して筆記軸内部に貯留するインクの蒸発・乾燥を防止することができる。
しかも、該構造の筆記具用キャップにおいては、筆先部の内キャップ内への収容に際して、筆先部を内キャップ内に確実に挿嵌できるよう、また、筆先部が内キャップ内に収容された際に、内キャップ内に前記密閉空間を創出し易いよう、その当接する内キャップ内周面と筆記軸先端周縁の少なくともいずれか一方が、キャップの天冠方向（以下、同方向を先端方向あるいは先端側と言い、反対方向を後端方向あるいは後端側と言う。）に向けて先細となるテーパーの縦断面とされている。そのため、筆記具用キャップ内に筆記軸を挿嵌する際に、力を込めすぎて筆記具用キャップ内の内キャップに対して筆記軸先端周縁が強く当接してキャップの先端方向へ押勢して、内キャップ内の密閉空間を圧縮しようとすることが発生する。しかし、該筆記軸先端周縁と当接する内キャップがスプリングの収縮により先端方向へ移動することで、その筆記軸軸先端周縁から内キャップに対する押勢力を減殺することができ、筆記軸先端が内キャップ内を過度に前進することを防止することができる。すなわちこれにより、内キャップ内に形成される密閉空間が筆記軸先端によって過度に圧縮されて、該内キャップ空間内の空気が筆先部を通して筆記軸内のインク貯留部内へ流入することを防止し、またそれによって、使用に際して筆記具用キャップを筆記軸から引き抜くことで、該密閉空間内に発生する負圧によって、インク貯留部内からインクが逆流し、さらには筆先部から漏出することを防止できるものである（特許文献１参照）。
【０００４】
ところが、前記二重キャップ方式の構造を有する筆記具用キャップにおいては、外キャップに対してスプリングと一体となって内キャップが固持されているものの、スプリングのみによる固持では、内キャップの重量によってスプリングが不必要に伸張しまうため、その伸張を防止するために、他の固持手段を必要とする。その固持手段として複数の係止突起（以下、「アンダーカット」という。）を、外キャップ内周面に形成するものが一般的である。ところが、外キャップの材質によっては、その内周面にアンダーカットを形成することが困難あるいは不可能な場合がある。その場合、外キャップに対して内キャップを先後方向に移動可能に固持するにあたって、スプリングとは別に、伸縮可能な継ぎ手部材によって内キャップと外キップを固持することがある。
しかしながらその場合、継ぎ手部材を内キャップ内よりネジ止めによって固持することから、内キャップ底部にネジを貫通させる孔が形成されるので、内キャップ内の密閉性が損なわれ易くなる。そのため、内キャップ内の密閉性を確実に確保するために、例えばＯ−リング等のシール材をネジと共締めすることが必要となるので、キャップの構造自体が複雑となるとともに、部品点数も増加し、製造作業の効率も低下するので、製造コストが著しく上昇することとなる。
【０００５】
また、外キャップと内キャップがスプリングにより一体に固定されているので、内キャップに筆記軸先端周縁が当接して、外キャップ先端方向へ押勢する際に揺動が発生しても、内キャップとスプリング、また、スプリングと外キャップがそれぞれ一体となつていることから、その揺動をスプリングが受け止め、内キャップを外キャップ先端方向へ適切に誘導することができる。ところが、筆記軸に筆記具用キャップを装着する際、必ずしも筆記軸を該筆記具用キャップに対してまっすぐに挿入するとは限らず、意識的あるいは無意識的に筆記軸を筆記具用キャップに対して回転させながら押し込むということが起こりうる。その時、外キャップと内キャップとがスプリングにより一体に固定されていることから、内キャップに加重な回転力が作用すると、スプリングを破壊してしまうこととなる。
【０００６】
ところで、筆記具用キャップを筆記軸に装着するために、筆記具用キャップと筆記軸とを螺合させるものがある。この場合、外キャップ内に内キャップを配設した上、外キャップの後端内周面に螺子溝を設けるとともに、筆記具用キャップの外キャップを筆記軸外側の螺子溝に対して螺着させると、筆記軸は該外キャップ内を回転しながら前進し、筆記軸先端に具えられる筆先部は内キャップ内に収容されることとなる。しかしその際、外キャップと筆記軸との螺着位置と、内キャップに対する筆先部の収容位置とを正確に位置決めすることが困難なことから、内キャップを外キャップの先後方向に移動可能とするために、前記二重キャップ方式と同様にスプリングを用いることが考えられる。
ところが、内キャップはスプリングと一体となっており、しかも該スプリングは筆記軸挿嵌時の圧力を確実に受け止められるように内キャップ及び外キャップに対して回転や揺動しないように強固に固定されているものである。従って、内キャップに筆記軸先端周縁が強く当接した際にも、その両者間に摩擦が生じず、筆記軸の回転に伴って内キャップが回転しないならばいざ知らず、実際には筆記軸の回転に伴って内キャップは回転し、内キャップと一体となるスプリングを損壊してしまうことととなる。また、もしもスプリングが損壊しなければ、回転する筆記軸によって回転する内キャップにより先端方向へ押勢されながら捻回させられたスプリングは、元の形状に復帰しようと反発して、操作者が筆記軸から手を離した時点で、内キャップを逆方向へ回転しつつ後端側へ押勢し、筆記軸先端は内キャップ内に過度に前進してしまうこととなる。その結果、内キャップ内に形成される内キャップ空間は筆記軸先端によって過度に圧縮され、該内キャップ空間内の空気は筆先部を通してインク貯留部内へ流入するので、使用に際して筆記具用キャップを引き抜くと内キャップ空間内に発生する負圧によってインク貯留部内からインクが逆流し、さらには筆先部から漏出するおそれがある。
【０００７】
さらに、筆記具用キャップの螺着は長期間にわたって多数回繰り返して行われるものである。そのため、内キャップの内周面と回転する筆記軸先端周縁との間で摩耗や損傷が発生し易くなる。その結果、筆記具用キャップを筆記軸に装着していても、内キャップ内の密閉性は低下し易くなって、筆先部及び筆先部を通して筆記軸内部に貯留するインクが蒸発・乾燥し易くなるものでもある。
【先行技術文献】
【特許文献】
【０００８】
【特許文献１】特開平１１−３２１１８１号公報
【発明の概要】
【発明が解決しようとする課題】
【０００９】
解決しようとする課題は、二重キャップ方式の筆記具用キャップを筆記軸に装着するにあたり、筆記軸を回転させると該筆記具用キャップを損壊し、あるいはその有用性が喪失することであり、また、特に筆記具用キャップを筆記軸に螺着させるものにおいては、従来の二重キャップ方式を適用することが困難な上、仮に適用できたとしても、内キャップ内で筆記軸先端が過度に前進してしまい、筆記具用キャップに引き抜き時に発生する負圧によってインク貯留部内からインクが逆流し、さらには筆記部からの漏出が発生し易い点であり、また併せて、外キャップ内において、内キャップ及びスプリングを保持するにあたって密閉性が低下し易いという点である。
【課題を解決するための手段】
【００１０】
本願発明は、筆記軸に筆記具用キャップを装着するにあたって、内キャップに対して筆記軸先端を正確に密着させ、過度の内キャップ内での前進を防ぐために、内キャップを外キャップの先後方向に移動自在とし、且つ筆記軸の回転に合わせて外キャップ内周面方向に沿って回転自在とすることを最も主要な特徴とする。
【００１１】
第１の特徴として、
一端を封止して有底形状とする外キャップ、一端を封止して有底形状とする内キャップ、及び弾性体とから構成し、
内キャップを外キャップ内に底部を同方向として内挿した上、外キャップの先後方向に移動自在且つ、外キャップの内周面方向に沿って回転自在となるように保持してなるとともに、
弾性体は外キャップ底部内の、外キャップ底部内周と内キャップ底部外周間において、少なくともいずれか一方のキャップに対して回転自在であって、内キャップを外キャップの後端方向へ押勢するよう挟持されてなるものであって、
略中央に薄板状の弾性体保持鍔部を有する棒状の弾性体保持体を介して、外キャップの底部と内キャップ底部とを連絡するとともに、
該弾性体保持体に対して、外キャップと内キャップの少なくともいずれかを外キャップの先後方向に移動自在とし、
弾性体は、前記弾性体保持体に対して外キャップの先後方向に移動自在となるものが外キャップの場合には、該外キャップ底部内周面と弾性体保持鍔部間に、また、それが内キャップの場合には、該内キャップ底部外周面と弾性体保持鍔部間に、それぞれ弾性体保持体に沿って設けられるものである。
【００１２】
そのため、先端に筆先部を具える筆記軸に筆記具用キャップを装着するに際し、該筆記軸が外キャップ内を前進して内キャップに当接し、更に筆記軸が押勢されると、内キャップは弾性体を圧縮しつつ外キャップの先端側へ移動することから、筆記軸が過度に内キャップ内を前進することがなく、筆先部を密閉する内キャップ内の空間は過度に圧縮されることがない。その結果、筆記軸に筆記具用キャップが装着された際に、内キャップ内の空気が筆記軸先端によって圧縮されて、筆先部を通してインク貯留部内に流入することがないことから、筆記軸から筆記具用キャップを離脱させた際に、内キャップ内の空間で発生することとなる負圧によって、インクの逆流、さらには筆先部からのインクの漏出が発生しない。
また、外キャップ内での筆記軸の前進に際して、筆記軸に回転が附加されても、弾性体が外キャップと内キャップの少なくとも一方と回転自在となっていることから、弾性体が捻回させられることがなく、弾性体の損壊を防止することができる。
更に、内キャップは弾性体の弾撥力によって外キャップの後端方向へ押勢されているので、該内キャップと筆記軸の先端周縁とは確実に密着して、内キャップ内の密閉性を十分に確保し、インクの蒸発・乾燥を確実に防止することができる。
なお、ここで筆記具用キャップを構成する弾性体としては、スプリングの他、シリコンやウレタン等の樹脂、及びゴム等が適当である。
【００１３】
その上、内キャップを外キャップに対して弾性体保持体により保持するので、筆記具用キャップにおいてアンダーカットを不要とするこで構造を簡易化させるとともに、外キャップに様々な材質を適用することができるものとし、その製造作業の効率をも向上させるものである。その結果、筆記具用キャップの製造コストの低減を図ることができる。
【００１４】
第１の特徴を踏まえて、第２の特徴として、
弾性体をスプリングとし、
内キャップの底部外周面に、内キャップと一体に形成される弾性体保持基部は、その外周を内キャップ底部外周よりも小径として、該内キャップ底部外周との間に段差部を形成し、また、内部を中空とした上で、その先端に内部と連通する取付孔を配設するとともに、該取付孔に連続し、側面に開口するスリットを配設してなり、
弾性体保持体は金属製であって、保持軸の略中央に設けられる薄板状の前記弾性体保持鍔部の他、保持軸の一端に外キャップ取付部を、他端に薄板状の係止鍔部をそれぞれ形成するものであって、該薄板状の係止鍔部の厚さは弾性体保持基部内部の中空部分を先後方向に移動可能となるよう、該中空部分の厚さに比して十分薄くしてなるものであり、
弾性体保持基部に配置されて、内キャップ底部外周の段差部に当接するスプリング内に、弾性体保持体の係止鍔部を挿通させるとともに、該係止鍔部を弾性体保持基部の側面に開口するスリットを通して取付孔へ係止させることによって、弾性体保持体に対して内キャップを、前記弾性体保持基部内部の中空部分における係止鍔部の移動可能範囲だけ、先後方向に移動可能とするとともに、スプリングを前記内キャップ底部外周の段差部と弾性体保持体の弾性体保持鍔部間に、伸縮自在に挟持した上で、
前記弾性体保持体の外キャップ取付部を外キャップに固定することで、
内キャップを外キャップの先後方向に移動自在且つ、外キャップの内周面方向に沿って回転自在としてなるものである。
【００１５】
そのため、金属製となる弾性体保持体は耐摩耗性が高く、筆記軸の筆記具用キャップへの多数回に亘る脱着にも耐えうるものである。そして、スプリングを含めた弾性体保持体による外キャップと内キャップの保持にあたっては、内キャップの弾性体保持基部外周にスプリングを配置した上、該スプリング内に貫通させた弾性体保持体の係止鍔部を弾性体保持基部の取付孔に係止し、さらに弾性体保持体の外キャップ取付部を外キャップに固定するだけで足りるので、製造作業の簡易化及び迅速化を図ることができ、製造コストの低減を図ることができるものである。
【００１６】
第１の特徴及び第２の特徴を踏まえて、第３の特徴として、
上記内キャップの開口部側内周面と、該内キャップの開口部側内周面に当接する筆記軸先端周縁とにおいて、いずれか一方にはテーパー面を、他方には段差周縁を形成するものである。
【００１７】
そのため、筆記具用キャップ内を筆記軸が前進して内キャップと筆記軸先端周縁とが当接した場合には、テーパー面に当接することになる段差周縁の段差に筆記軸の前進による圧力が集中するので、内キャップと筆記軸先端周縁とがより確実に密着するものとなる。
その結果、内キャップと筆記軸の先端周縁との密閉度が向上するので、筆先部及び筆先部を通してのインク貯留部におけるインクの蒸発・乾燥を防止することができる。
【００１８】
特に内キャップには、内キャップ内の密閉性及び水分などの透過性を十分に考慮して、ポリプロピレン等の外キャップよりも柔軟な材質が用いられることが一般的である。そのため、内キャップと筆記軸先端周縁とが当接し、テーパー面に当接する段差周縁において圧力が集中することで、柔軟な材質の内キャップの段差周縁の段差は容易に変形するのでより確実に密着するものとなる。その結果、内キャップと筆記軸先端周縁との密閉度がより向上するので、筆先部及び筆先部を通してのインク貯留部におけるインクの蒸発・乾燥をより一層防止することができる。
【００１９】
第２の特徴及び第３の特徴を踏まえて、第４の特徴として、
外キャップと筆記軸のそれぞれに、互いに螺着するネジ部を有するものであり、該螺着の際の内キャップの回転方向と、スプリングの巻き方向とを反転させてなるものである。
【００２０】
そのため、筆記軸を筆記具用キャップに螺着させることで、該筆記軸が内キャップに当接し、内キャップが筆記部とともに共回りし、更に、スプリングが供回りすることとなっても、スプリングの末端は弾性体保持体を構成する弾性体保持鍔部に対して引っ掛ることなく逃げるものとなる。その結果、スプリングの末端と弾性体保持体を構成する弾性体保持鍔部とが引っ掛って、内キャップの回転抵抗が発生することがないので、筆記具用キャップは筆記軸に対して円滑に螺着されることとなる。
また、スプリングの末端が弾性体保持体の弾性体保持鍔部を摩滅させたり、損傷させたりすることもない。
【発明の効果】
【００２１】
本願発明の筆記具用キャップは、該筆記具用キャップ内に保持される内キャップと筆記軸とを確実に密着させることで筆先部を確実に密閉してインクの蒸発・乾燥を防止できるとともに、内キャップ内での筆記軸先端の過度な前進を阻止して、筆記具用キャップの引き抜き時に内キャップ内で発生する負圧によって筆先部からのインクの漏出をも防止できるので、長期間にわたって確実に筆記具として使用することができる優れた効果を有するものである。特に、筆記具用キャップを筆記軸に螺着させるタイプにおいて、より一層その効果を発揮するものである。
【図面の簡単な説明】
【００２２】
【図１】図１は本願発明の実施例である筆記具用キャップを具える万年筆の正面図である。
【図２】図２は本願発明の実施例である筆記具用キャップを具える万年筆の筆記具用キャップと筆記軸との、それぞれの正面図である。
【図３】図３は本願発明の実施例である筆記具用キャップを具える万年筆の縦断面図である。
【図４】図４は本願発明の実施例である筆記具用キャップを具える万年筆の要部拡大縦断面図である。
【図５】図５は本願発明の実施例である筆記具用キャップの分解斜視図である。
【図６】図６は本願発明の実施例である筆記具用キャップにおける内キャップとスプリングとの組立状態を示す一部透視図である。
【図７】図７は筆記具用キャップに対して筆記軸の螺着する際の筆記軸と内キャップとの当接過程を示す図である。
【図８】図８は筆記軸と内キャップとの当接状態を示す要部拡大断面図である。
【発明を実施するための形態】
【００２３】
内キャップと筆記軸との密閉性を確保してインクの乾燥を防止しつつ、筆記具用キャップを筆記軸から引き抜く際に発生する負圧によるインクの逆流及び、さらに筆先部からのインクの漏出を防止するという目的を、内キャップが外キャップに対して先後方向に移動可能とするとともに、内キャップが外キャップ内周面方向に沿って回転できるようにすることで実現した。
【実施例】
【００２４】
図１において示す１は本願発明の筆記具用キャップを具える万年筆であり、該万年筆１は、本願発明の実施例である筆記具用キャップ９と筆記軸２とから構成される。そして、図２において示すように、該筆記軸２に対する筆記具用キャップ９の装着は、筆記軸２の雄ネジ部３と筆記具用キャップ９の雌ネジ部１０とを螺着させて行うものである。
【００２５】
そして、筆記軸２では、先端に筆先部であるペン先４を具えるとともに、その内部にインクを貯留するカートリッジ５及び該ペン先４とカートリッジ５との間に、カートリッジ５からペン先４へのインクの供給を適切に調節するペン芯６が一体に連続するように配置されている。
【００２６】
一方、本願発明の実施例である筆記具用キャップ９は、一端を封止した有底形状であって、衣服等に係止可能となるクリップ１２がその先端側外周面に配置される外キャップ１１、該外キャップ１１内において一端を封止した有底形状であって、その内部に形成する内キャップ空間１４内で筆記軸２先端に具えるペン先４を密閉する内キャップ１３、内キャップ１３と外キャップ１１とを連絡する弾性体保持体２２、及び一端を内キャップ１３に挟持される弾性体であるスプリング２１とから構成される。
そして上記内キャップ１３は、外キャップ１１の先端側に位置する底部１１ａに当接する弾性体保持体２２の弾性体保持鍔部２７との間で、スプリング２１を挟持しつつ、先後方向に移動自在且つ、外キャップ１１内周面方向に沿って回転自在となるように保持されている。
【００２７】
すなわち、図４において示すように、該筆記具用キャップ９を構成する外キャップ１１内において内キャップ１３は、回転可能且つ先後方向に移動可能に保持されている。
まず、弾性体保持体２２は金属製であり、保持軸２３の先端側に外周面に雄ネジ部２５を螺設する外キャップ取付部２４を、他端に薄板円板状（約０．５ｍｍ厚）となる係止鍔部２６を、さらに略中央に、それより大径の薄板円板状の弾性体保持鍔部２７を一体に形成するものである。
一方、外キャップ１１の先端側である底部１１ａには、弾性体保持体２２の外キャップ取付部２４が連通する貫通孔１１ｂが穿設されている。
そして、内キャップ１３の先端側である底部１３ａの先端側外周面には、弾性体保持基部１５が一体に形成されている。この弾性体保持基部１５は、その外周の径が内キャップ１３底部の外周の径よりも小さくした略円柱形状であって、内キャップ１３との間には、段差部１３ｂが形成されている。また、その内部は先後方向に略３ミリの高さｈを有する中空部１５ａとした上で、その先端側に内部と連通する取付孔１６を配設するとともに、該取付孔１６に連続し、側面に開口するスリット１７を配設している。
【００２８】
そこで、内キャップ１３の弾性体保持基部１５外周にスプリング２１を配置した上、該スプリング２１先端側より弾性体保持体２２の係止鍔部２６を挿通させるとともに、該係止鍔部２６を弾性体保持基部１５の側面に開口するスリット１７を通して取付孔１６へ係止させることによって、スプリング２１が内キャップ１３の段差部１３ｂと弾性体保持鍔部２７との間に、伸縮自在に挟持される。
その上で、該弾性体保持体２２の外キャップ取付部２４を、外キャップ１１の底部１１ａに穿設した貫通孔１１ｂ及びクリップ１２の端部に形成するクリップ取付孔１２ａを通した上、該クリップ取付孔１２ａより先端方向へ突出する外キャップ取付部２４の雄ネジ部２５に、ワッシャー２８とともにナット２９を螺合させて共締することで、内キャップ１３が外キャップ１１内に保持される。
更に、外キャップ１１の最先部となる頂部には、ナット２９と螺合した外キャップ取付部２４を利用して、略紡錘形状の天冠３０を取り付けてなるものである。
これにより、内キャップ１３は外キャップ１１の先後方向に移動自在となり、また、外キャップ１１の内周面方向に沿って回転可能となっている。すなわち、内キャップ１３に対して外キャップ１１の先端方向への押勢力が負荷されなければ、内キャップはスプリング２１の弾撥力によって外キャップ１１の後端側へ押勢されて、弾性体保持体２２の係止鍔部２６の先端側の面が、弾性体保持基部１５の中空部１５ａの先端側の面と当接した状態となっている（図４に示す状態）。ところが、内キャップ１３に対して外キャップ１１の先端方向への押勢力が負荷されると、内キャップ１３はスプリング２１を圧縮しつつ、弾性体保持体２２の係止鍔部２６の後端側の面が、弾性体保持基部１５の中空部１５ａの後端側の面と当接するまで移動する。そして、その押勢力がなくなると、スプリング２１の弾撥力によって、内キャップ１３は元の位置に復元する。また、内キャップ１３は、スプリング２１を単に挟持する一方部材というだけであって、スプリング２１と係合・固定されていない上、弾性体保持体２２の係止鍔部２６が弾性体保持基部１５の取付孔１６に係止することによって保持されているだけであることから、外キャップ１１の内周面方向に沿って回転可能となる。
なお、スプリング２１は内キャップ１３、弾性体保持鍔部２７のいずれとも係合・固定されていない。
【００２９】
ところで、図８に示すように、筆記軸２の先端周縁７には先端に向かって径小化するテーパー面８が形成されているのに対し、該筆記軸２の先端周縁７に当接する内キャップ１３の開口縁１８には、段差周縁１９が形成されている。そして、該段差周縁１９には、内側へ向けた角となる段差２０が設けられている。
そのため、筆記具用キャップ９を筆記軸２に装着する際に、該筆記具用キャップ９内を前進する筆記軸２の先端周縁７のテーパー面８が、内キャップ１３の段差周縁１９の段差２０と当接することによって、両者は確実に密着するものであるが、筆記具用キャップ９を完全に装着するために筆記軸２との螺着を行うことで、筆記具用キャップ９内において筆記軸２をより一層前進させると、該筆記軸２の先端周縁７に形成されるテーパー面８に対して、内キャップ１３の段差周縁１９の段差２０を通して圧力が集中することとなる。  その結果、筆記軸２の先端周縁７のテーパー面８と、内キャップ１３の段差周縁１９の段差２０との密着が高まり、内キャップ１３内での密閉度がより一層高まるものである。
【００３０】
さらに、内キャップ１３に対して弾性体保持体２２によって保持されるスプリング２１は、筆記軸２を筆記具用キャップ９に螺着させる際に回転する方向、すなわち右回転とは逆の、左巻きとなっている。そのため、筆記具用キャップ９を筆記軸２に装着するにあたって、筆記軸２を筆記具用キャップ９に対して右回転させた際、筆記軸２の先端周縁７と当接する内キャップ１３が筆記軸２とともに、後端側から見て右回転することとなるが、その時、スプリング２１が内キャップ１３とともに後端側から見て右回転しても、スプリング２１の先鋭化した末端２１ａが先端となって回転しないことから、該スプリング２１の末端２１ａが弾性体保持体２２の弾性体保持鍔部２６に対して引っ掛ることがない。そのため、内キャップ１３が円滑に回転するだけでなく、該末端２１ａがその回転によって弾性体保持鍔部２６を摩滅させあるいは損傷することがないので、該筆記具用キャップ９の多数回の着脱使用を可能とするものである。
特に、弾性体保持体２２は金属製であることから耐摩耗性が高く、該筆記具用キャップ９の多数回の着脱使用について、より有効である。
【００３１】
本願発明の筆記具用キャップ９は以上の構成を具えるので、筆記軸２に対して該筆記具用キャップ９を装着するに際しては、次のようになるものである。
すなわち、図７に示すように、筆記軸２を筆記具用キャップ９に対して螺着して行くと、該筆記具用キャップ９内を筆記軸２は前進する（図ａ参照）。そして、さらに筆記軸２と筆記具用キャップ９との螺着を進めると、筆記具用キャップ９内を前進する筆記軸２の先端周縁７に形成されるテーパー面８と、内キャップ１３の段差周縁１９の段差２０とが当接する（図ｂ参照）。そして、筆記具用キャップ９を筆記軸２に対して完全に装着するため、さらに筆記具用キャップ９に対して筆記軸２を螺着させて、筆記軸２を筆記具用キャップ９内で前進させても、筆記軸２と当接する内キャップ１３はスプリング２１とともに外キャップ１１に対して回転自在に保持されているので、内キャップ１３は筆記軸２とともに回転しつつ、外キャップ１１内をスプリング２１を圧縮しながら前進するものとなる。この時、弾性体保持体２２の係止鍔部２６の先端側の面が、弾性体保持基部１５の中空部１５ａの先端側の面と当接した状態から、弾性体保持体２２の係止鍔部２６の後端側の面が、弾性体保持基部１５の中空部１５ａの後端側の面と当接するまで、内キャップ１３は外キャップ１１内を前進することとなる（図ｃ参照）。
このように内キャップ１３が前進することから、内キャップ１３に当接している筆記軸２は、内キャップ１３内を過度に前進することがないので、内キャップ１３内に形成され、ペン先４を密閉する内キャップ空間１４が筆記軸２によって過度に圧縮されることがない。
またこのとき、前述のように、互いに当接した内キャップ１３の段差周縁１９における段差２０と、筆記軸２の先端周縁７のテーパー面８との密着はより一層強固となるので、内キャップ１３内の密閉度はより高くなるものである。その結果、内キャップ１３内には筆記軸２により確実に密閉された内キャップ空間１４が形成され、更にその外側に、外キャップ１１と筆記軸２との螺着によって密閉された外キャップ空間１４ａが形成されることから、該内キャップ空間１４において筆記軸２の先端に具えられるペン先４は確実に密閉されるので、ペン先４及びペン先４を通してペン芯６、カートリッジ５におけるインクの蒸発・乾燥を確実に防止することができる。
【００３２】
一方、該万年筆１の使用に際して、筆記具用キャップ９と筆記軸２との螺着を解除するため、筆記軸２を筆記具用キャップ９に対して左回転させても、装着時に筆記軸２が内キャップ１３内を過度に前進することがないので、内キャップ１３内において筆記軸２によって形成される、ペン先４を密閉する内キャップ空間１４内で負圧が発生することはない。
その結果、筆記具用キャップ９と筆記軸２との螺着解除時に、ペン先４を通してペン芯６、カートリッジ体５からインクが逆流し、さらにはペン先４から漏出することを防止できる。
【産業上の利用可能性】
【００３３】
内部に貯留するインクの蒸発・乾燥及びインクの漏出を確実に防止することができ、筆記部及びインクの種類を変えることで液体化粧料等の塗布具にも適用できる。
【符号の説明】
【００３４】
１    万年筆
２    筆記軸
３    雄ネジ部
４    ペン先  
５    カートリッジ
６    ペン芯
７    先端周縁
８    テーパー面
９    筆記具用キャップ
１０    雌ネジ部
１１    外キャップ
１１ａ    底部
１１ｂ    貫通孔
１２    クリップ
１２ａ    クリップ取付孔
１３    内キャップ
１３ａ    底部
１３ｂ    段差部
１４    内キャップ空間
１４ａ    外キャップ空間
１５    弾性体保持基部
１５ａ    中空部
１６    取付孔
１７    スリット
１８    開口縁
１９    段差周縁
２０    段差
２１    スプリング
２１ａ    末端
２２    弾性体保持体
２３    保持軸
２４    外キャップ取付部
２５    雄ネジ部
２６    係止鍔部
２７    弾性体保持鍔部
２８    ワッシャー
２９    ナット
３０    天冠
【図１】
0005637515.tif 000002
【図２】
0005637515.tif 000003
【図３】
0005637515.tif 000004
【図４】
0005637515.tif 000005
【図５】
0005637515.tif 000006
【図６】
0005637515.tif 000007
【図７】
0005637515.tif 000008
【図８】
0005637515.tif 000009